(57)【要約】【課題】障子が開いた状態のときに、広い開口部が得られる建具を提供すること。【解決手段】建物９の躯体に固定される枠体１０と、枠体１０間に配置され、見付面に沿って水平に延びる回転軸を中心として回転可能な障子２と、を備える建具１であって、回転軸は、障子２の縦框の上下方向における中央部よりも上側に偏った位置に配置されている。回転軸は、上枠１１から下枠１５に至るまで延びる柱部材に支持されずに、上枠１１が固定される躯体の部分から下方に向って、下枠１５の上方の所定の位置に至るまで延びる垂下部材９３０に支持される。【選択図】図３２
2018013000.tif 000002
【特許請求の範囲】
【請求項１】
建物の躯体に固定される枠体と、
前記枠体間に配置され、見付面に沿って水平に延びる回転軸を中心として回転可能な障子と、を備える建具であって、
前記回転軸は、前記障子の縦框の上下方向における中央部よりも上側に偏った位置に配置されている建具。
【請求項２】
建物の躯体に固定される枠体と、
前記枠体間に配置され、見付面に沿って水平に延びる回転軸を中心として回転可能な障子と、を備える建具であって、
前記枠体は、上枠及び下枠を有し、
前記回転軸は、前記上枠から前記下枠に至るまで延びる柱部材に支持されずに、前記上枠が固定される前記躯体の部分から下方に向って、前記下枠の上方の所定の位置に至るまで延びる垂下部材に支持される建具。
【請求項３】
前記障子は、上框と下框と左右の縦框とを有し、前記下框と左右の縦框との接続部分には、前記下框の下方から前記下框を支持する接続補強部材が設けられている請求項１又は請求項２に記載の建具。
【請求項４】
前記障子を回転させる回転駆動装置を備え、
前記障子は上框と下框とを有し、
前記回転駆動装置は、前記障子の上框に接続され、前記上框を回動可能である請求項１〜請求項３のいずれかに記載の建具。
【請求項５】
前記回転駆動装置は、前記障子の前記上框を下方へ回動させることにより、前記回転軸よりも下側に位置する前記障子の部分を上方へ回動させて前記障子が開いた状態とする請求項４に記載の建具。
【請求項６】
前記回転駆動装置は、左右方向における前記障子の中央に関して対称的な構造を有するように一対設けられている請求項４又は請求項５に記載の建具。
【請求項７】
前記枠体に配置され、一の方向と、前記一の方向に交差する他の方向とにスライド移動可能な第２の障子を備え、
前記枠体は、前記第２の障子を前記一の方向にスライド移動可能に支持しガイドする第１ガイド部と、前記第２の障子を、前記他の方向へスライド移動可能に支持しガイドする第２ガイド部と、前記第１ガイド部と前記第２ガイド部とが連結されるコーナー部と、を有し、
前記コーナー部は、前記コーナー部において前記第２の障子の下部を支持した状態で前記第２の障子を回転させて、前記第１ガイド部と前記第２ガイド部とのうちの一方に支持されている前記第２の障子を、前記第１ガイド部と前記第２ガイド部とのうちの他方に支持されている状態とする障子回転装置を備える請求項１〜請求項６のいずれかに記載の建具。
【請求項８】
前記枠体は、上枠及び下枠を有し、
前記回転軸は、前記上枠から前記下枠に至るまで延びる柱部材に支持されずに、前記上枠が固定される前記躯体の部分から下方に向って、前記下枠の上方の所定の位置に至るまで延びる垂下部材に支持され、
前記第２の障子は、一対の縦框を有し、
前記縦框は、前記障子及び前記第２の障子により開口部を閉じて前記第２の障子を前記障子に隣接して配置させたときに、前記垂下部材を収容可能な収容部を有する請求項７に記載の建具。
【請求項９】
前記枠体は、上枠及び下枠を有し、
前記回転軸は、前記上枠から前記下枠に至るまで延びる柱部材に支持されずに、前記上枠が固定される前記躯体の部分から下方に向って、前記下枠の上方の所定の位置に至るまで延びる垂下部材に支持され、
前記垂下部材は、
上方に向けて開口し前記回転軸を係止可能な切り欠きが形成された回転軸係止部材と、
前記回転軸係止部材の切り欠きに前記回転軸が配置された状態で、前記回転軸係止部材の切り欠きの開口を塞いで、前記回転軸が前記切り欠きから外れない状態を維持する開口閉鎖部材と、を有する請求項１〜請求項８のいずれかに記載の建具。
【発明の詳細な説明】
【技術分野】
【０００１】
本発明は、建具に関する。
【背景技術】
【０００２】
従来、枠体内に配置され、枠体に対して回転軸を中心として回転可能な障子を有する回転窓（建具）が知られている（例えば、特許文献１参照）。障子は、障子の縦框の上下方向における当該縦框の中央部分が、回転機構を介して枠体に対して回転可能に支持されている。障子は、例えば、回転機構よりも上側の障子の部分が屋内側へ回動し、回転機構よりも下側の障子の部分が屋外側へ回動して、障子が開いた状態とされる。
【先行技術文献】
【特許文献】
【０００３】
【特許文献１】特開２０１６−１０８９２４号公報
【発明の概要】
【発明が解決しようとする課題】
【０００４】
上記公報に記載されている回転窓では、上述のように障子は、障子の縦框の上下方向における当該縦框の中央部分が、回転機構を介して枠体に対して回転可能に支持されている。このため、障子を回転させて障子を開いた状態としたときに、開口部の中央の位置に障子が存在する。このため、障子が開いた状態のときに、広い開口部が得られることが求められていた。
【０００５】
本発明は、上記課題に鑑みてなされたものであり、障子が開いた状態のときに、広い開口部が得られる建具を提供することを目的とする。
【課題を解決するための手段】
【０００６】
上記目的を達成するため本発明は、建物（例えば、後述の建物９）の躯体（例えば、後述の躯体９１１）に固定される枠体（例えば、後述の枠体１０）と、前記枠体間に配置され、見付面に沿って水平に延びる回転軸（例えば、後述の回転軸部２３４、サッシュ部材２３５，及び、抜け防止板２３６）を中心として回転可能な障子（例えば、後述の障子２）と、を備える建具（例えば、後述の建具１）であって、前記回転軸は、前記障子の縦框（例えば、後述の左縦框２３）の上下方向における中央部よりも上側に偏った位置に配置されている建具を提供する。
【０００７】
また、本発明は、建物（例えば、後述の建物９）の躯体（例えば、後述の躯体９１１）に固定される枠体（例えば、後述の枠体１０）と、前記枠体間に配置され、見付面に沿って水平に延びる回転軸（例えば、後述の回転軸部２３４、サッシュ部材２３５，及び、抜け防止板２３６）を中心として回転可能な障子（例えば、後述の障子２）と、を備える建具（例えば、後述の建具１）であって、前記枠体は、上枠（例えば、後述の上枠１１）及び下枠（例えば、後述の下枠１５）を有し、前記回転軸は、前記上枠から前記下枠に至るまで延びる柱部材に支持されずに、前記上枠が固定される前記躯体の部分から下方に向って、前記下枠の上方の所定の位置に至るまで延びる垂下部材（例えば、後述の支持アーム部９３０）に支持される建具を提供する。
【０００８】
また、前記障子は、上框（例えば、後述の上桟２１）と下框（例えば、後述の下桟２２）と左右の縦框（例えば、後述の左縦框２３、右縦框２４）とを有し、前記下框と左右の縦框との接続部分には、前記下框の下方から前記下框を支持する接続補強部材（例えば、後述の下側接続補強部材２７０）が設けられていることが好ましい。
【０００９】
また、前記障子を回転させる回転駆動装置（例えば、後述の回転駆動装置４）を備え、前記障子は上框（例えば、後述の上桟２１）と下框（例えば、後述の下桟２２）とを有し、前記回転駆動装置は、前記障子の上框に接続され、前記上框を回動可能であることが好ましい。
【００１０】
また、前記回転駆動装置は、前記障子の前記上框を下方へ回動させることにより、前記回転軸よりも下側に位置する前記障子の部分を上方へ回動させて前記障子が開いた状態とすることが好ましい。また、前記回転駆動装置は、左右方向における前記障子の中央に関して対称的な構造を有するように一対設けられていることが好ましい。
【００１１】
また、前記枠体に配置され、一の方向と、前記一の方向に交差する他の方向とにスライド移動可能な第２の障子（例えば、後述の障子３）を備え、前記枠体は、前記第２の障子を前記一の方向にスライド移動可能に支持しガイドする第１ガイド部（例えば、後述の第１ガイド部１０１）と、前記第２の障子を、前記他の方向へスライド移動可能に支持しガイドする第２ガイド部（例えば、後述の第２ガイド部１０２）と、前記第１ガイド部と前記第２ガイド部とが連結されるコーナー部（例えば、後述のコーナー部１０３）と、を有し、前記コーナー部は、前記コーナー部において前記第２の障子の下部を支持した状態で前記第２の障子を回転させて、前記第１ガイド部と前記第２ガイド部とのうちの一方に支持されている前記第２の障子を、前記第１ガイド部と前記第２ガイド部とのうちの他方に支持されている状態とする障子回転装置（例えば、後述の障子回転装置６）を備えることが好ましい。
【００１２】
また、前記枠体（例えば、後述の枠体１０）は、上枠（例えば、後述の上枠１１）及び下枠（例えば、後述の下枠１５）を有し、前記回転軸は、前記上枠から前記下枠に至るまで延びる柱部材に支持されずに、前記上枠が固定される前記躯体の部分から下方に向って、前記下枠の上方の所定の位置に至るまで延びる垂下部材（例えば、後述の支持アーム部９３０）に支持され、前記第２の障子は、一対の縦框を有し、前記縦框は、前記障子及び前記第２の障子により開口部を閉じて前記第２の障子を前記障子に隣接して配置させたときに、前記垂下部材を収容可能な収容部（例えば、後述の支持アーム部収容切り欠き３３１ｂ）を有することが好ましい。
【発明の効果】
【００１３】
本発明は、上記課題に鑑みてなされたものであり、障子が開いた状態のときに、広い開口部が得られる建具を提供することを目的とする。
【図面の簡単な説明】
【００１４】
【図１】本発明の一実施形態に係る建具１の障子２、３が閉じた状態を示す屋外側から見た斜視図である。
【図２】上記実施形態に係る建具１の障子２の縦断面図である。
【図３】上記実施形態に係る建具１の障子３の縦断面図である。
【図４】上記実施形態に係る建具１の横断面図である。
【図５】上記実施形態に係る建具１の障子２の分解斜視図である。
【図６】図５のＡの部分を示す拡大斜視図である。
【図７】図５のＢの部分を示す拡大斜視図である。
【図８】図５のＣの部分を示す拡大斜視図である。
【図９】図５のＤの部分を示す拡大斜視図である。
【図１０】上記実施形態に係る建具１の障子３の分解斜視図である。
【図１１】図１０のＥの部分を示す拡大斜視図である。
【図１２】図１０のＦの部分を示す拡大斜視図である。
【図１３】図１０のＧの部分を示す拡大斜視図である。
【図１４】図１０のＨの部分を示す拡大斜視図である。
【図１５】図１０のＩの部分を示す拡大斜視図である。
【図１６】図１０のＪの部分を示す拡大斜視図である。
【図１７】上記実施形態に係る建具１の障子２側の枠体１０の各部分を示す分解斜視図である。
【図１８】図１７のＬの部分を示す拡大斜視図である。
【図１９】図１７のＫの部分を示す拡大斜視図である。
【図２０】図１７のＭの部分を示す拡大斜視図である。
【図２１】図１７のＮの部分を示す拡大斜視図である。
【図２２】上記実施形態に係る建具１の障子３側の枠体１０の各部分を示す分解斜視図である。
【図２３】図２２のＯの部分を示す拡大斜視図である。
【図２４】図２２のＰの部分を示す拡大斜視図である。
【図２５】上記実施形態に係る建具１の障子２を回転駆動する回転駆動装置４を示す図であり、（Ａ）は屋外側から見た斜視図であり、（Ｂ）は屋内側から見た斜視図である。
【図２６】上記実施形態に係る建具１の枠体１０のコーナー部１０３の下方斜視図である。
【図２７】上記実施形態に係る建具１の障子回転装置６の分解斜視図である。
【図２８】上記実施形態に係る建具１の枠体１０の上枠１１の切り欠き１３１ｅを示す正面図である。
【図２９】上記実施形態に係る建具１の障子３をスライド移動させる障子移動部材５を示す下方斜視図である。
【図３０】上記実施形態に係る建具１の障子３を回転させている様子を示す、屋外側から見た斜視図である。
【図３１】上記実施形態に係る建具１の障子３を側壁９０２に配置させた様子を示す、屋外側から見た斜視図である。
【図３２】上記実施形態に係る建具１の障子２を回転させている様子を示す図であり、（Ａ）は、屋外側から見た斜視図であり、（Ｂ）は、平面模式図であり、（Ｃ）は、側面模式図である。
【図３３】上記実施形態に係る建具１の障子２を回転させ終えて、開口部全体が開かれた状態を示す図であり、（Ａ）は、屋外側から見た斜視図であり、（Ｂ）は、屋内側から見た斜視模式図である。
【発明を実施するための形態】
【００１５】
以下、本発明の一実施形態について、図面を参照しながら説明する。なお、本明細書において、「見付方向」とは、建物９に形成された開口部に納められた建具１における障子２、３の面方向（見付面に沿った方向）を意味し、「見込方向」とは、開口部に納められた建具１における上記障子２、３の厚さ方向を意味する。また、奥方向とは、見込方向のうちの屋外側から屋内側へ向う方向を意味し、手前方向とは、奥方向の逆の方向を意味する。また、左方向とは、見込方向のうちの屋外側から屋内側へ向う方向で見たときの建物９の左方向を意味し、その反対の方向は右方向を意味し、また、左方向と右方向とを併せて一の方向としての左右方向と定義する。また、手前方向と奥方向とを併せて他の方向としての前後方向と定義する。
【００１６】
図１は、本発明の一実施形態に係る建具１の障子２、３が閉じた状態を示す屋外側から見た斜視図である。図２は、上記実施形態に係る建具１の障子２の縦断面図である。図３は、上記実施形態に係る建具１の障子３の縦断面図である。図４は、上記実施形態に係る建具１の横断面図である。図３０は、上記実施形態に係る建具１の障子３を回転させている様子を示す、屋外側から見た斜視図である。図３１は、上記実施形態に係る建具１の障子３を側壁９０２に配置させた様子を示す、屋外側から見た斜視図である。図３２は、上記実施形態に係る建具１の障子２を回転させている様子を示す図であり、（Ａ）は、屋外側から見た斜視図であり、（Ｂ）は、平面模式図であり、（Ｃ）は、側面模式図である。図３３は、上記実施形態に係る建具１の障子２を回転させ終えて、開口部全体が開かれた状態を示す図であり、（Ａ）は、屋外側から見た斜視図であり、（Ｂ）は、屋内側から見た斜視模式図である。
【００１７】
本実施形態の建具１としての窓は、左右方向の寸法が大きく設定された横長の窓であり、建物９の正面の壁部９０１に形成された開口部から、正面に沿って建物９の外壁の屋外側の右端部の角部９０３に至り、その位置から見込方向へ建物９の右側の側壁９０２に沿って所定の位置に至るまでの外壁の屋外側に配置される。建物９の開口部は、建物９の左右方向に広く形成されている。建物９の左右方向における外壁の長さであって、開口部の右端部（後述の障子３の右縦框３４の位置）から建物９の右端部の角部９０３までの外壁の長さは、障子３が開口部を閉じた状態のときの左右方向における障子３の幅（図１に示す障子３の左右方向における幅）よりも小さい。
【００１８】
図１等に示すように窓としての建具１は、建物９の開口部に取り付けられる枠体１０と、枠体１０に開閉可能に配置されて納められた障子２と、第２の障子としての障子３と、を備える。
枠体１０は、上枠１１と、下枠１５と、左の縦枠１７と、により略コの字形状に枠組みされて形成される。上枠１１、下枠１５、及び、左の縦枠１７は、例えば、アルミニウムで構成される。
【００１９】
左の縦枠１７は、開口部の左辺の部分において、躯体９１１（例えば、梁部材、柱部材、床部。図４参照）に図示しないボルトにより固定されている。図１等に示すように、上枠１１は、左の縦枠１７の上端部から開口部の上辺に沿って右方向へ延び、開口部の右辺よりも更に右方向に延びて建物９の右の角部９０３に至る。そして、上枠１１は、建物９の側面の壁面に沿って奥方向へ延び、所定の位置に至るまで配置されており、ボルト９２１（図２参照）を介して躯体９１１に固定されている。同様に、下枠１５は、左の縦枠１７の下端部から開口部の下辺に沿って右方向へ延び、開口部の右辺よりも更に右方向に延びて建物９の右の角部９０３に至る。そして、下枠１５は、建物９の側壁９０２に沿って奥方向へ延び、所定の位置にまで至るまで配置されており、ボルト９２２を介して躯体９１１に固定されている。ここで、所定の位置とは、角部９０３から奥方向へ、図１に示す障子３の左右方向における幅よりも長い距離で進んだ位置である。
【００２０】
上枠１１、下枠１５、及び左の縦枠１７の部分であって、建物９の正面に平行な壁部９０１に沿って建物９の右の角部９０３に至るまで延びている部分を、図１に示すように、以下、「第１ガイド部１０１」と言い、建物９の右の角部９０３から建物９の側壁９０２に沿って奥方向へ延び、所定の位置にまで至るまでの部分を、以下、「第２ガイド部１０２」と言う。第１ガイド部１０１は、障子３を左右方向にスライド移動可能に支持しガイドする。第２ガイド部１０２は、障子３を前後方向へスライド移動可能に支持しガイドする。
【００２１】
障子２は、枠体１０の左側の部分であって、開口部の左半分の部分を開閉可能に配置されており、左右方向における長さが３ｍ、上下方向における長さが２．７ｍ、重量が３００ｋｇの寸法を有している。障子２は、左縦框２３、右縦框２４の上端寄りの部分に回転軸を有している。
【００２２】
回転軸の軸心は、見付面に沿った左右方向且つ水平方向に指向している。回転軸は、左の縦枠１７と、開口部の中央に配置された垂下部材としての支持アーム部９３０と、に回転可能に支持されており、これにより、障子２は、縦枠１７及び支持アーム部９３０に対して回転可能に支持されている。即ち、障子２の回転軸は、開口部を遮るように設けられ上枠１１から下枠１５に至るまで延びる柱部材には支持されておらず、上枠１１が固定される躯体９１１の部分から下方に向って、下枠１５の上方の所定の位置，即ち、下枠１５から２ｍ程度の高さの位置に至るまで延びている支持アーム部９１の下端部と、縦枠１７と、に支持される。障子２が回転することにより、図３３に示すように、開口部の左半分の部分が開いた状態とされる。
【００２３】
障子３は、枠体１０の右側の部分であって、開口部の右半分の部分を開閉可能に配置されており、障子２の寸法、重量とほぼ同一の寸法、重量を有している。障子３は、図３１、図３２（Ａ）に示すように、上枠１１及び下枠１５にガイドされて正面に沿って右方向へスライド移動し、建物９の角部９０３よりも右側に突出し、建物９の角部９０３の壁面に沿って回転し、建物９の側壁の壁面に沿って奥方向へスライド移動して、建物９の側壁９０２に沿った状態で収容されるように構成されている。以下、各部について詳細に説明する。
【００２４】
先ず、障子２について詳細に説明する。
図５は、上記実施形態に係る建具１の障子２の分解斜視図である。図６は、図５のＡの部分を示す拡大斜視図である。図７は、図５のＢの部分を示す拡大斜視図である。図８は、図５のＣの部分を示す拡大斜視図である。図９は、図５のＤの部分を示す拡大斜視図である。
【００２５】
障子２は、図５に示すように、上桟２１（上框）と、下桟２２（下框）と、左縦框２３と、右縦框２４と、により矩形に框組みされて形成された框体２０と、框体２０内に嵌め込まれたガラス２００と、を備える。上桟２１、下桟２２、左縦框２３、及び、右縦框２４は、例えば、アルミニウムで構成される。
【００２６】
上桟２１、下桟２２、左縦框２３、及び、右縦框２４には、それぞれ、内側（障子側）に開口して形成される溝２１ａ，２２ａ，２３ａ，２４ａが形成される。溝２１ａ，２２ａ，２３ａ，２４ａには、ガラス２００の端縁部が配置される。
【００２７】
上桟２１は、図２に示すように、溝２１ａの屋内側に隣接する位置に、断面矩形状の空気室２１１ａを形成する角筒状部２１１を有している。溝２１ａを形成する上桟２１の部分であって角筒状部２１１に接続されている部分には、パッキン２１２が設けられている。パッキン２１２は、上桟の右端部から左端部に至るまで、左右方向に延びており、屋内側と屋外側との気密性を高める。角筒状部２１１の上部には、板状部材２１１１、２１１２を介して、ヒンジ４０８の一端部側がボルト４０８３により固定されている。ヒンジ４０８の回転軸４０８１は、見付面に沿った水平の方向に平行な位置関係を有している。
【００２８】
下桟２２は、図２に示すように、溝２２ａの屋内側に隣接する位置に、断面矩形状の空気室２２１ａを形成する角筒状部２２１を有している。また、下桟２２は、溝２２ａの下側の位置に、断面矩形状の空気室２２２ａを形成する角筒状部２２２を有している。角筒状部２２２の下部の屋内側の部分には、パッキン２２３が設けられている。パッキン２２３は、下桟２２の右端部から左端部に至るまで、左右方向に延びており、屋内側と屋外側との気密性を高める。
【００２９】
左縦框２３は、図４に示すように、溝２３ａの屋内側に隣接する位置に、断面矩形状の空気室２３１ａを形成する角筒状部２３１を有している。溝２３ａを形成する左縦框２３の部分には一対のパッキン２３３が設けられている。パッキン２３３は、左縦框２３の上端部から下端部に至るまで、上下方向に延びており、屋内側と屋外側との気密性を高める。
【００３０】
右縦框２４は、溝２４ａの屋内側に隣接する位置に、断面矩形状の空気室２４１ａを形成する角筒状部２４１を有している。溝４２ａを形成する右縦框２４の部分には一対のパッキン２４３が設けられている。パッキン２４３は、右縦框２４の上端部から下端部に至るまで、上下方向に延びており、屋内側と屋外側との気密性を高める。
【００３１】
図７等に示すように、右縦框２４と上桟２１との間には、上側接続補強部材２６０が設けられている。上側接続補強部材２６０は、Ｌ字形状を有するコーナーブラケット２６１と、上側直方体部材２６２と、下側直方体部材２６３と、を有している。コーナーブラケット２６１は、水平方向に延びる水平部２６１１と、上下方向に延びる垂直部２６１２とを有しており、上側接続補強部材２６０は、水平部２６１１にボルト２６２１で固定され、下側直方体部材２６３は、垂直部２６１２の上部にボルト２６１３で固定されている。上側直方体部材２６２が固定された水平部２６１１の部分は、上桟２１の角筒状部２１１に挿入されボルト２６１５（図６参照）によって固定されている。そして、上桟２１は、ネジ２６１６によって右縦框２４に固定されている。下側直方体部材２６３が固定された垂直部２６１２の部分は、右縦框２４にボルト２６１４によって固定されている。
【００３２】
垂直部２６１２の下部の位置においては、回転軸部２４４が右縦框２４に固定されている。回転軸部２４４は、図円柱状部２４４１と、長方形板状部２４４２とを有しており、長方形板状部２４４２は、円柱状部２４４１の軸方向における一端部に一体的に接続されている。長方形板状部２４４２がばね座金２４４３を介してねじ２４４４によって右縦框２４に固定されることにより、回転軸部２４４が右縦框２４に固定されている。円柱状部２４４１は、見付面に沿って水平に延びており、障子２の右縦框２４の上下方向における中央部よりも上側に偏った位置、具体的には、右縦框２４の上から、右縦框２４の上下方向における長さの４分の１程度の位置に、固定されている。
【００３３】
円柱状部２４４１には、円筒状のサッシュ部材２４５が円柱状部２４４１を環装している。サッシュ部材２４５は、円筒状部２３５１と、円柱状部２４４１の軸方向における一端部に一体的に接続されているフランジ部２４５２とを有しており、円筒状部２４５１は、右縦框２４に形成された貫通孔２４ｂを貫通して、右縦框２４よりも右側へ突出している。円筒状部２４５１の突出端部には、円板形状を有する抜け防止板２４６が、ねじ２４６１により固定されている。抜け防止板２４６とフランジ部２４５２との間には、円筒状部２４５１の周方向に沿った回転溝が形成される。
【００３４】
左縦框２３と上桟２１との間にも、上述の右縦框２４と上桟２１との間の上側接続補強部材２６０と同一の構成の上側接続補強部材２６０が設けられており、これについては、説明を省略する。また、左縦框２３にも、右縦框２４に固定されていた回転軸部２４４、サッシュ部材２４５、抜け防止板２４６と同一の構成の回転軸部２３４、サッシュ部材２３５、抜け防止板２３６が設けられており、これについては、説明を省略する。
【００３５】
図８等に示すように、左縦框２３と下桟２２との間には、下側接続補強部材２７０が設けられている。下側接続補強部材２７０は、Ｌ字形状を有するコーナーブラケット２７１と、下側直方体部材２７２と、を有している。コーナーブラケット２７１は、水平方向に延びる水平部２７１１と、上下方向に延びる垂直部２７１２とを有しており、垂直部２７１２がボルト２７１３によって左縦框２３に固定されることにより、下側接続補強部材２７０が左縦框２３に固定されている。そして、左縦框２３は、ネジ２７１６によって下桟２２に固定されている。
【００３６】
下側直方体部材２７２は、水平部２７１１の上面にボルト２７１４で固定されている。下側直方体部材２７２が固定された水平部２７１１の部分は、下桟２２の角筒状部２２１の下側に配置されボルト２７１５によって下桟２２の角筒状部に固定されている。これにより、下側接続補強部材２７０における下側直方体部材２７２が固定された水平部２７１１の部分は、下桟２２の下方から下桟２２支持する。右縦框２４と下桟２２との間にも、上述の左縦框２３と下桟２２との間の下側接続補強部材２７０と同一の構成の下側接続補強部材２７０が設けられており、これについては、説明を省略する。
【００３７】
図２０、図２１に示すように、前室１７１ａ、後室１７２ａをそれぞれ形成している左の縦枠１７の部分の上部と下部とには、それぞれ長方形状の板状部材２３２１が、ネジ２３２３により固定されている。また、後室１７２ａを形成している左の縦枠１７の部分の上部には、長方形状の板状部材２３２２が、ネジ２３２４により固定されている。
【００３８】
ガラス２００は、図２等に示すように、屋内側の板ガラス２０１と、屋外側の板ガラス２０２と、これら２枚の板ガラスで挟持されたスペーサ２０３と、を備える複層ガラスである。この複層ガラスで構成されたガラス２００は、優れた断熱性を有する。ガラス２００の周縁部は、溝２１ａ，２２ａ，２３ａ，２４ａ内で、見込方向において、ガラス２００の端縁部がシーリング材２０４１に挟まれるように、且つ、ガラス２００の端縁部がシーリング材支持材２０４２に挟まれるように構成されている。また、溝２２ａの底部には、位置決め部材２０４３が設けられており、ガラス２００の下端縁部は、位置決め部材２０４３の上に載置されることにより、下桟２２に対して位置決めなされている。また、ガラス２００の左端縁部、上端縁部、右端縁部にそれぞれ当接するように、図５に示すように、左押縁部２０６１、上押縁部２０６２、右押縁部２０６３が、溝２１ａ、２３ａ、２４ａ内にそれぞれ設けられており、これらによって、ガラス２００は、溝２２ａ内の位置決め部材２０４３に押し付けられている。
【００３９】
次に、障子３について詳細に説明する。
図１０は、上記実施形態に係る建具１の障子３の分解斜視図である。図１１は、図１０のＥの部分を示す拡大斜視図である。図１２は、図１０のＦの部分を示す拡大斜視図である。図１３は、図１０のＧの部分を示す拡大斜視図である。図１４は、図１０のＨの部分を示す拡大斜視図である。図１５は、図１０のＩの部分を示す拡大斜視図である。図１６は、図１０のＪの部分を示す拡大斜視図である。
【００４０】
障子３は、図１０に示すように、上桟３１と、下桟３２と、左縦框３３と、右縦框３４と、により矩形に框組みされて形成された框体３０と、框体３０内に嵌め込まれたガラス３００と、を備える。上桟３１、下桟３２、左縦框３３、及び、右縦框３４は、例えばアルミニウムで構成される。
【００４１】
図３、図４に示すように、上桟３１、下桟３２、左縦框３３、及び、右縦框３４には、それぞれ、内側（障子側）に開口して形成される溝３１ａ，３２ａ，３３ａ，３４ａが形成される。溝３１ａ，３２ａ，３３ａ，３４ａには、ガラス３００の端縁部が配置される。
【００４２】
図３に示すように、上桟３１は、溝３１ａの屋内側に隣接する位置に、断面矩形状の空気室３１１ａを形成する角筒状部３１１を有している。図１０に示すように、上桟３１の左右方向における端部の近傍には、角筒状部３１１の内部の空気室３１１ａと、角筒状部３１１の外部とを連通するＴ字形状の切り欠き３１１６がそれぞれ形成されている。
【００４３】
図３に示すように、下桟３２は、溝３２ａの屋内側に隣接する位置に、断面矩形状の空気室３２１ａを形成する角筒状部３２１を有している。また、下桟３２は、溝３２ａの下側の位置に、断面矩形状の空気室３２２ａを形成する角筒状部３２２を有している。図１０、図１６に示すように、左右方向における下桟３２の中央部には、下方へ開口する直方体形状のソケット部３２３が、ボルト３２３１及びばね座金３２３２により固定されている。
【００４４】
図４に示すように、左縦框３３は、溝３３ａの屋内側に隣接する位置に、断面矩形状の空気室３３１ａを形成する角筒状部３３１を有している。溝３３ａを形成する左縦框３３の部分には、一対のパッキン３３３が設けられている。パッキン３３３は、左縦框３３の上端部から下端部に至るまで、上下方向に延びており、障子２、障子３が開口部を閉じているときに、パッキン２４３にそれぞれ当接して、屋内側と屋外側との気密性を高める。
【００４５】
また、図１０に示すように、左縦框３３には、左方向及び屋内側へ開口する支持アーム部収容切り欠き３３１ｂが形成されている。支持アーム部収容切り欠き３３１ｂは、支持アーム部９３０（図１等参照）を収容可能な大きさを有しており、障子３が開口部を閉じて、障子２と障子３戸を隣接配置させた状態のときに、支持アーム部９３０は、支持アーム部収容切り欠き３３１ｂに収容され、屋外側及び屋内側から目視できないように構成されている。支持アーム部収容切り欠き３３１ｂが形成されている左縦框３３の部分は、収容部を構成する。
【００４６】
図４に示すように、右縦框２４は、溝２４ａの屋内側に隣接する位置に、断面矩形状の空気室２４１ａを形成する角筒状部２４１を有している。
【００４７】
図３に示すように、溝３２ａの下側の角筒状部の下面は、上方に窪んだ戸車固定用凹部３２２ｂが形成されている。戸車固定用凹部３２２ｂには、図１４に示すように、戸車３２４が金属カラー３２４１及び小ねじ３２４２により固定されている。戸車３２４は、多数設けられており、障子３が正面に沿って左右方向へスライド移動する際に、また、建物９の壁面に沿って左右方向や前後方向にスライド移動する際に、下桟２２を支持し、障子３のスライド移動に伴い戸車３２４が回転するように構成されている。
【００４８】
図１２に示すように、左縦框３３と上桟３１との間には、接続補強部材３６０が設けられている。接続補強部材３６０は、Ｌ字形状を有するコーナーブラケットにより構成されている。コーナーブラケットは、水平方向に延びる水平部３６０１と、上下方向に延びる垂直部３６０２とを有しており、垂直部３６０２がボルトによって左縦框３３に固定されることにより、接続補強部材３６０が左縦框３３に固定されている。水平部３６０１は、上桟３１の角筒状部３１１に挿入されボルト３６０５によって固定されている。垂直部３６０２は、ボルト３６０６によって左縦框３３に固定されている。
【００４９】
図１５に示すように、左縦框３３と下桟３２との間には、接続補強部材３７０が設けられている。接続補強部材３７０は、見込方向における幅が接続補強部材３６０よりも広いＬ字形状を有するコーナーブラケットにより構成されている。コーナーブラケットは、水平方向に延びる水平部３７０１と、上下方向に延びる垂直部３７０２とを有している。垂直部３７０２がボルト３７０６によって左縦框３３に固定されることにより、接続補強部材が左縦框３３に固定されている。また、水平部３７０１がボルト３７０７（図１４参照）によって下桟３２に固定されることにより、接続補強部材３７０が下桟３２に固定されている。また、ネジ３７０８によって、図１５に示すように、左縦框３３は下桟３２に固定されている。
【００５０】
右縦框３４と下桟３２との間にも、上述の左縦框３３と下桟３２との間の接続補強部材３７０と同一の構成の接続補強部材３７０が設けられており、これについては、説明を省略する。同様に、右縦框３４と上桟３１との間にも、上述の左縦框３３と下桟３２との間の接続補強部材３７０と同一の構成の接続補強部材３７０が設けられており、これについては、説明を省略する。
【００５１】
図１０に示すように、上桟３１には、１つの中央ガイドローラ３１４１と、被ガイド部としての２つのガイドローラ３１５１とが上桟３１に対して回転可能に設けられている。中央ガイドローラ３１４１は、左右方向における上桟３１の中央部に配置されている。２つのガイドローラ３１５１は、左右方向における上桟３１の端部に配置されている。
【００５２】
より詳細には、図１３に示すように、左右方向における上桟３１の中央部には、中央ガイドローラ基部３１４２がボルト３１４９によって固定されている。中央ガイドローラ基部３１４２は、長方形の板状を有する板状基板３１４３と、板状基板３１４３から円筒状に延びるローラ支持筒状部３１４４とを有している。中央ガイドローラ３１４１の軸心位置には、ガイドピン３１４５が中央ガイドローラ３１４１を貫通しており回転軸を構成している。貫通したガイドピン３１４５の先端部には、環状の止め輪３１４６が固定されている。ガイドピン３１４５は、上下方向に平行の位置関係を維持した状態で、ローラ支持筒状部３１４４に対して回転可能である。
【００５３】
また、図１１、図１２に示すように、左右方向における上桟３１の端部には、ガイドローラ基部３１５２がボルト３１５５によって固定されている。ガイドローラ基部３１５２は、長方形の板状を有する板状基板３１５３と、板状基板３１５３から円筒状に延びるローラ支持筒状部３１５４とを有している。ガイドローラ３１５１の回転軸は、ローラ支持筒状部３１５４に回転可能に支持されており、上下方向に平行の位置関係を維持した状態で回転可能である。
【００５４】
図３に示すように、ガラス３００は、屋内側の板ガラス３０１と、屋外側の板ガラス３０２と、これら２枚の板ガラスで挟持されたスペーサ３０３と、を備える複層ガラスである。ガラス３００の構成及び、ガラス３００を上桟３１、下桟３２、左縦框３３、及び、右縦框３４によって支持する構成については、ガラス２００についての構成と同一であるため、説明を省略する。
【００５５】
次に、枠体１０について詳細に説明する。
図１７は、上記実施形態に係る建具１の障子２側の枠体１０の各部分を示す分解斜視図である。図１８は、図１７のＬの部分を示す拡大斜視図である。図１９は、図１７のＫの部分を示す拡大斜視図である。図２０は、図１７のＭの部分を示す拡大斜視図である。図２１は、図１７のＮの部分を示す拡大斜視図である。図２２は、上記実施形態に係る建具１の障子３側の枠体１０の各部分を示す分解斜視図である。図２３は、図２２のＯの部分を示す拡大斜視図である。図２４は、図２２のＰの部分を示す拡大斜視図である。図２５は、上記実施形態に係る建具１の障子２を回転駆動する回転駆動装置４を示す図であり、（Ａ）は屋外側から見た斜視図であり、（Ｂ）は屋内側から見た斜視図である。図２６は、上記実施形態に係る建具１の枠体１０のコーナー部１０３の下方斜視図である。図２７は、上記実施形態に係る建具１の障子回転装置６の分解斜視図である。図２８は、上記実施形態に係る建具１の枠体１０の上枠１１の切り欠き１３１ｅを示す正面図である。図２９は、上記実施形態に係る建具１の障子３をスライド移動させる障子移動部材５を示す下方斜視図である。
【００５６】
枠体１０を構成する上枠１１は、図２２に示すように、上側上枠１１１と、下側上枠１３１とを有している。上側上枠１１１は、開口部の左半分の部分においては、図２、図１７等に示すように、左右方向に平行に延びる長方形状の板状の前板部１１１１と、前板部１１１１の上端部に接続されて前板部１１１１の上端部から見込方向の屋内側へ延びる長方形状の板状の上板部１１１２と、上板部１１１２の後端部から、建物９の正面に平行に下方向へ延びる長方形状の板状の後板部１１１３と、を有しており、図２に示すように、左右方向に直交する断面視では、下方向へ向けて開口するコ字形状を有している。上板部１１１２の下面には、長方形状の板状部材１１１４が、ボルト９２１及び平座金９２１１によって固定されている。前板部１１１１、上板部１１１２、及び、後板部１１１３は、開口部の左端部から開口部の中央部に至るまで左右方向に延びている。
【００５７】
また、後板部１１１３の後面（屋内側の面）には、支持部材１１２が設けられている。支持部材１１２は、左右方向に平行に延びる長方形状の板状の前側板部１１２１と、前側板部１１２１の下端部に接続されて前側板部１１２１の下端部から見込方向の屋内側へ延びる長方形状の板状の下側板部１１２２と、を有しており、図２に示すように、左右方向に直交する断面視では、Ｌ字形状を有している。支持部材１１２の前側板部１１２１は、上側上枠１１１の後板部に固定されている。
【００５８】
また、上側上枠１１１は、開口部の中央部から建物９の右側の角部９０３までの部分においては、図３、図２２等に示すように、左右方向に平行に延びる長方形状の板状の後板部１１１６と、後板部１１１６の上端部に接続されて後板部１１１６の上端部から見込方向の屋外側へ延びる長方形状の板状の上板部１１１７と、上板部１１１７の前端部に接続されて上板部１１１７の前端部から下方向に延びると共に、左右方向に延びる前板部１１１８とを有している。上側上枠１１１は、図３に示すように、左右方向に直交する断面視では、下方向へ向けて開口するコの字形状を有している。
【００５９】
また、上側上枠１１１は、建物９の右側の側壁に沿った部分においては、図２２等に示すように、当該建物９の右側の側壁に沿って水平に延びる長方形状の板状の後板部１１１６と、後板部１１１６の上端部に接続されて後板部の上端部から右方向へ延びる（建物９の右側の側壁から離れる方向へ延びる）長方形状の板状の上板部１１１７と、を有しており、建物９の正面に沿った断面視では、右方向下方へ向けて開口するＬ字形状を有している。上板部１１１７の下面には、長方形状の板状部材１１１４が、ボルト９２１及び平座金９２１１によって固定されている。
【００６０】
建物９の正面に配置された下側上枠１３１の右端部と、建物９の右側の側壁に配置された下側上枠１３１の前端部とは、図２３に示すようなＬ字状の上枠間接続部材１６０によって接続されている。上枠間接続部材１６０は、上下方向に平行の位置関係を有するＬ字状垂直部１６０１と、Ｌ字状垂直部１６０１の下端から建物９の内方へ延びる水平な板状のＬ字状水平部１６０２とを有している。Ｌ字状垂直部１６０１の一端部が、ボルト１６０６によって、建物９の正面に沿って配置された下側上枠１３１の部分に固定され、Ｌ字状垂直部１６０１の他端部が、図示しないボルトによって、建物９の右側の側壁に沿った下側上枠１３１の部分に固定されることによって、建物９の正面に沿って配置された下側上枠１３１と建物９の右側の側壁９０２に沿った下側上枠１３１とを、互いに連結するように構成されている。このように連結されている部分を、以下、「コーナー部１０３」（図１等参照）と言う。即ち、コーナー部１０３において、第１ガイド部１０１と第２ガイド部１０２とが連結されている。
【００６１】
Ｌ字状水平部の直角の部分の下面には、ボルト１６１５によりガイドピン受け部１６１が固定されている。ガイドピン受け部１６１は、後述のように障子回転装置６によって障子３が上方へ持上げられたときに、ガイドピン３１４５（図１３参照）の上端部が係合するように構成されている。
【００６２】
下側上枠１３１は、角柱形状を有しており、図３に示すように、下側上枠１３１の上端部に設けられた被係合部１３１５が、上側上枠１１１に設けられた係合部１１１５に係合することにより、上側上枠１１１に固定されている。被係合部１３１５、係合部１１１５は、図３に示すように、それぞれフック形状を有しており、互いにフック形状の部分が引っ掛かり合うことにより、被係合部１３１５と係合部１１１５との係合がなされるように構成されている。下側上枠１３１は、上側上枠１１１の後板部１１１６と平行に、後板部１１１６の一端部から他端部に至るまで後板部１１１６に対向して延びている。
【００６３】
角柱形状の下側上枠１３１の内部は、上室１３１ａと下室１３１ｂとに区画されている。
上室１３１ａには、図３に示すように、左右方向に直交する断面視でコの字形状を有するコの字部材１３１１が配置されている。コの字部材１３１１の中央部分がボルト１３１６によって下側上枠１３１の屋内側の面に固定されることにより、コの字部材１３１１は、下側上枠１３１に固定されている。
【００６４】
角柱形状の下側上枠１３１の下部は、下方へ向って開口しており、下室１３１ｂは、当該開口を介して下室１３１ｂの外部に連通している。下室１３１ｂを形成している下側上枠１３１の下部の内面には、室内上下区画板部１３１３が設けられている。室内上下区画板部１３１３は、下室１３１ｂを形成している下側上枠１３１の下部の内面であって上下方向における中央部に、見込方向において対向するように一対設けられている。室内上下区画板部１３１３は、図３に示すように、下室１３１ｂを形成している下側上枠１３１の下部の内面からそれぞれ突出し、建物９の正面に沿って下側上枠１３１の一端部から他端部に至るまで延びている。室内上下区画板部１３１３は、下室１３１ｂを上側室１３１ｃと下側室１３１ｄとに区画しているが、上側室１３１ｃと下側室１３１ｄとは互いに連通している。
【００６５】
また、建物９の正面に沿って配置された下側上枠１３１の上側室１３１ｃと、建物９の右側の側壁に沿った下側上枠１３１の上側室１３１ｃとは、前述の上枠間接続部材１６０によって連通しており、後述のように、中央ガイドローラ３１４１が、建物９の正面に沿って配置された下側上枠１３１の上側室１３１ｃと、建物９の右側の側壁９０２に沿った下側上枠１３１の上側室１３１ｃとを、往き来できるように構成されている。これに対して、建物９の正面に沿って配置された下側上枠１３１の下室１３１ｂは、右方向へ向けて開口しており、また、建物９の右側の側壁９０２に沿った下側上枠１３１の下室１３１ｂは、見込方向の屋外側へ向けて開口している。従って、障子３の上桟３１の左右両端部に設けられた２つのガイドローラ３１５１は、後述のように、下室１３１ｂの当該開口している部分から、下室１３１ｂの外部へ外れた状態となることが可能である。
【００６６】
上側室１３１ｃには、障子３の上桟の中央部に配置された中央ガイドローラ３１４１が配置される。中央ガイドローラ３１４１の周縁部が、上側室１３１ｃを形成している下側上枠１３１の内面に当接しながら中央ガイドローラ３１４１が上側室１３１ｃ内を移動することにより、中央ガイドローラ３１４１は、下側上枠１３１にガイドされるように構成されている。
【００６７】
下側室１３１ｄには、障子３の上桟の両端部に配置されたガイドローラ３１５１が配置される。ガイドローラ３１５１の周縁部が、下側室１３１ｄを形成している下側上枠１３１の内面に当接しながらガイドローラ３１５１が下室１３１ｂ内を移動することにより、ガイドローラ３１５１は、下側上枠１３１にガイドされるように構成されている。このように、ガイドローラ３１５１が下側上枠１３１にガイドされることにより、障子３は、下側上枠１３１にガイドされて、建物９の正面に沿ってスライド移動可能であり、また、建物９の側壁に沿って見込方向に平行にスライド移動可能である。
【００６８】
下側室１３１ｄを形成している下側上枠１３１の下部の屋外側の面には、図２８に示すように、Ｔ字状切り欠き１３１ｅが形成されている。Ｔ字状切り欠き１３１ｅは、コーナー部１０３から建物９の正面に沿った左方向へ、障子３の幅の半分の長さ程度の下側上枠１３１の位置と、コーナー部１０３から建物９の側壁に沿って見込方向に平行の方向へ、障子３の幅の半分の長さ程度の下側上枠１３１の位置と、に形成されており、下側室１３１ｄの内部と下側室１３１ｄの外部とを連通している。Ｔ字状切り欠き１３１ｅにおいては、障子３の上桟の両端部に設けられたガイドローラ３１５１が通過可能である。即ち、Ｔ字状切り欠き１３１ｅが形成されている下側上枠１３１の下部は、障子３が障子回転装置６によって回転させられているときに、ガイドローラ３１５１が第１ガイド部１０１又は第２ガイド部１０２にガイドされている状態となる被ガイド位置と、ガイドローラ３１５１が第１ガイド部１０１又は第２ガイド部１０２にガイドされていない状態となる被ガイド解除位置と、の間でガイドローラ３１５１を移動可能とする被ガイド状態切換え可能部を構成する。
【００６９】
図２６に示すように、コーナー部１０３の上部、より具体的には、コーナー部１０３の近傍の下側上枠１３１の部分には、一対の倒れ止め部材１３３が設けられている。倒れ止め部材１３３は、倒れ止め基部１３３１と、倒れ止め駆動部１３３２とを有しており、倒れ止め基部１３３１は、ボルト１３３６により、コーナー部１０３の近傍の下側上枠１３１の部分であって、建物９の正面に沿った部分と、建物９の側壁に沿って見込方向に平行に延びる部分と、にそれぞれ１つずつ固定されている。
【００７０】
倒れ止め駆動部１３３２は、図示しないソレノイドにより、倒れ止め基部１３３１に対して上下方向に移動可能に構成されている。具体的には、倒れ止め基部１３３１には、上下方向に延びる長穴１３３１ａが形成されており、長穴１３３１ａには、倒れ止め駆動部１３３２に固定されたボルト１３３７が挿通している。従って、長穴１３３１ａ内をボルト１３３７が倒れ止め基部１３３１に対して移動可能であり、これにより、図示しないソレノイドにより、倒れ止め基部１３３１に対して倒れ止め駆動部１３３２が相対的に移動可能である。
【００７１】
倒れ止め駆動部１３３２は、後述のように障子回転装置６によって障子３が上方へ持上げられたときに、上桟２１によって、上方へ移動させられるように構成されている。また、倒れ止め駆動部１３３２は、後述のように中央ガイドローラ３１４１がコーナー部１０３に位置したときであって、未だ障子回転装置６によって障子３が上方へ持上げられていないときに、障子３が倒れて、中央ガイドローラ３１４１が、第１ガイド部１０１を構成する上側室１３１ｃから第２ガイド部１０２を構成する上側室１３１ｃへ、又は、第２ガイド部１０２を構成する上側室１３１ｃから第１ガイド部１０１を構成する上側室１３１ｃへ、倒れて入ってしまうことを防止する。
【００７２】
上枠１１と、障子２の上桟２１との間には、障子２の回転軸（回転軸部２３４、サッシュ部材２３５，及び、抜け防止板２３６）を中心として上桟２１を回動させて、障子２を回転させる回転駆動装置４が一対設けられている。図１７、図２５に示すように、回転駆動装置４は、モータ４０１と、ユニバーサルジョイント部４０２と、ボールネジ４０３と、アーム４０４と、リニアガイド４０５と、上枠固定板４０６と、ヒンジ固定板４０７と、を有している。
モータ４０１は、図示しない電源からの電力の供給により、出力軸を回転駆動する。モータ４０１の出力軸は、ユニバーサルジョイント部４０２の一端部に接続されている。ユニバーサルジョイント部４０２の他端部は、ユニバーサルジョイント部４０２に入力したモータ４０１の回転をボールネジ４０３のねじ軸４０３１に伝達可能にボールネジ４０３に連結されている。
【００７３】
上枠固定板４０６は、建物９の正面に平行に延びる長方形状の板状の前板部４０６１と、前板部４０６１の上端部に接続されて前板部４０６１の上端部から見込方向の屋内側へ延びる長方形状の板状の固定板前板部４０６２と、固定板前板部４０６２の下端部に接続されて固定板前板部４０６２の下端部から見込方向の屋外側へ延びる長方形状の板状の固定板下板部４０６３と、を有している。上枠固定板４０６は、上枠１１に固定されており、ユニバーサルジョイント部４０２の近傍から離れるように、ボールネジ４０３のねじ軸４０３１に沿って、建物９の正面に沿って水平に、左右のアーム４０４をそれぞれ覆うように延びている。
【００７４】
ヒンジ固定板４０７は、図２及び図２５に示すように、障子２が閉じた状態のときに、建物９の正面に平行に延びる長方形状の板状のヒンジ固定前板部４０７１と、ヒンジ固定前板部４０７１の下端部に接続されてヒンジ固定前板部４０７１の下端部から見込方向の屋外側へ延びる長方形状の板状の固定板下板部４０７２と、を有している。ヒンジ固定板４０７は、ヒンジ４０８（図２参照）の他端部側にボルト４０８２で固定されており、ヒンジ４０８を介して障子２の上桟に接続されている。
【００７５】
アーム４０４は、図３２（Ｂ）等に示すように、ユニバーサルジョイント部４０２を中心として、一対設けられており、それぞれ第１アーム部４０４１と第２アーム部４０４２との２本の棒状のアーム部材の中央部分が、互いに回動可能に、回動軸４０４３によって支持されて構成されている。従って、アーム４０４は、第１アーム部４０４１と第２アーム部４０４２とでＸ字状を構成する。
【００７６】
一対のアーム４０４において、左右方向の中央寄りに位置する第２アーム部４０４２の一端部は、それぞれボールネジ４０３のナット部４０３２に接続されている。ナット部４０３２は、ねじ軸４０３１の軸心を中心として回転可能である。ナット部４０３２は、それぞれ上枠固定板４０６に支持され左右方向に延びる図示しないガイドレールに対して、左右方向に直線的に滑らかにスライド移動可能なリニアガイド４０５に、ネジ固定されており、リニアガイド４０５と一体で左右方向へ移動可能である。
また、左右方向の中央寄りに位置する第１アーム部４０４１の一端部は、ヒンジ固定板４０７に支持され左右方向に延びる図示しないガイドレールに対して、左右方向に直線的に滑らかにスライド移動可能なリニアガイド４０５に固定されており、リニアガイド４０５は左右方向へ移動可能である。
また、左右方向の両端側に位置する第２アーム部４０４２の他端部は、それぞれヒンジ固定板４０７に固定された固定部４０３３に固定されている。また、左右方向の両端側に位置する第１アーム部４０４１の他端部は、それぞれ上枠固定板４０６に固定された固定部４０３３に固定されている。
即ち、一対の回転駆動装置４は、左右方向における中央に近い位置にリニアガイド４０５が配置されており、中央から遠い位置には、固定部４０３３が配置されている位置関係を有している。即ち、回転駆動装置４は、左右方向における障子２の中央に関して対称的な構造で一対設けられている。
【００７７】
モータ４０１が駆動することにより、ユニバーサルジョイント部４０２を介してモータ４０１の回転がボールネジ４０３のねじ軸４０３１に伝達されて、ねじ軸４０３１が回転する。これにより、ボールネジ４０３のナット部４０３２がボールネジ４０３の軸心方向に移動するとともにねじ軸４０３１を中心として回転する。これに伴い、Ｘ字形状のアーム４０４の第１アーム部４０４１に対する第２アーム部４０４２の交差角度が変化して、上枠固定板４０６に対するヒンジ固定板４０７の距離が変化し、障子２の上桟２１が屋内方向且つ下方向へ押下げられて、障子２が回転軸（回転軸部２３４、サッシュ部材２３５，及び、抜け防止板２３６）を中心に回転して、障子２が開かれた状態となる。
【００７８】
図２９に示すように、上側上枠１１１の後板部と、下側上枠１３１との間には、図示しないレール部材と障子移動部材５とが設けられている。障子移動部材５は、第１ガイド部１０１としての上枠１１の部分と、第２ガイド部１０２としての上枠１１の部分と、のそれぞれに１つずつ設けられている。図示しないレール部材は、上側上枠１１１の後板部と、下側上枠１３１との間において、上枠１１に沿って延びている。障子移動部材５は、図示しないモータを備えており、電力がモータに供給されることにより、レール部材にガイドされて、上側上枠１１１の後板部１１１６と、下側上枠１３１との間において、上枠１１に沿って移動可能である。
【００７９】
障子移動部材５の下面には下方へ突出する障子係合部５０１が設けられている。障子係合部５０１は、上桟３１のＴ字形状の切り欠き３１１６（図１０参照）に係合することにより、上桟３１に係合可能である。また、障子係合部５０１は、上桟３１のＴ字形状の切り欠き３１１６を通して、上桟３１に係合している状態から係合が解除された状態となることが可能である。障子係合部５０１が上桟３１に係合している状態のときに、障子移動部材５が図示しないレール部材にガイドされて移動することにより、上桟３１を有する障子３が上枠１１に沿って移動するように構成されている。
【００８０】
図２２に示すように、下枠１５は、平面視で長方形状の板状に形成されており、建物９の正面に沿った部分と、建物９の右側の側壁に沿った部分と、の計２つ設けられている。下枠１５は、図３に示すように、躯体９１１にボルト９２２により固定されており、図２に示すように、断面矩形状の空気室１５１ａを形成する角筒状部１５１と、断面矩形状の空気室１５２ａを形成する角筒状部１５２とを有している。屋外側に位置する角筒状部１５２の部分は、屋内側に位置する角筒状部１５１の部分よりも、上下方向に薄く構成されている。角筒状部１５２には、１本のレール１５３が形成されている。レール１５３は、下枠１５の一端部から他端部に至るまで延びており、レール１５３には、障子３の戸車３２４が係合した状態で、障子３がレール１５３に案内されて移動する。
【００８１】
コーナー部１０３は、コーナー部１０３において障子３の下部を支持した状態で障子３を回転させて、第１ガイド部１０１と第２ガイド部１０２とのうちの一方に支持されている障子３を、第１ガイド部１０１と第２ガイド部１０２とのうちの他方に支持されている状態とする障子回転装置６を備えている。
具体的には、障子回転装置６は、図２７に示すように、基板部６０１と、中間板部６０２と、上側板状部６０３と、回転駆動部６０４と、コーナーベース６０５と、を有している。基板部６０１は、板状を有しており、ナット６０１１と平座金６０１２と、長ねじ６０１３と、平座金６０１４と２つのボルト６０１５、６０１６とによって挟まれるようにして、躯体９１１に固定されており、また、基板部６０１の各辺に当接するＬ型アングル６０１７により安定して位置決めがなされている。上側板状部６０３は、ボルト６０１８等により、基板部６０１に対して一定の高さの位置に固定されており、これに対して中間板部６０２は、基板部６０１に対して高さが可変に構成されている。中間板部６０２は、後述のように、伸縮アクチュエータ６０４２が駆動することより、回転円板部６０４３の軸方向へ回転円板部６０４３が移動する際に、回転円板部６０４３と共に一体で移動する。
【００８２】
上側板状部６０３は、細長い板状に形成されており、上側板状部６０３の両端部は、基板部６０１に中間板部６０２及び上側板状部６０３を固定するボルト６０１８の上端部に固定されている。即ち、上側板状部６０３は、当該ボルト６０１８同士を掛け渡すように配置されている。当該ボルト６０１８によって、低板部６０６１と高板部６０６２とこれらを接続する接続部６０６３とを有する取り付け金具６０６の低板部６０６１が、上側板状部６０３に固定されている。取り付け金具６０６の高板部６０６２は、調整シム６０６５と、ボルト６０６６とに挟まれるようにして正方形状の板状に形成されたコーナーベース６０５の３箇所の角部にそれぞれ１つずつ固定されている。
【００８３】
コーナーベース６０５は、例えばアルミニウムで構成される。取り付け金具６０６が固定されていない、コーナーベース６０５の残りの１箇所の角部は、Ｌ字形状に形成された取り付け部材６０７とボルト６０７１、６０７２により、建物９の正面に沿った下枠１５の部分と、建物９の右側の側壁に沿った下枠１５の部分とに、それぞれ固定されている。
コーナーベース６０５の中央部には、円形状の貫通孔６０５ａが形成されている。コーナーベース６０５の上面には、レール６０５１が設けられている。レール６０５１は、貫通孔の部分を除いて、コーナーベース６０５の対向する各辺の中央同士を、それぞれ結ぶように延びている。また、レール６０５１の脇には、レール６０５１を挟むような位置関係で対をなすローラ部６０５２が、計４対設けられている。
【００８４】
回転駆動部６０４は、コアレスモータ６０４１及び伸縮アクチュエータ６０４２と、回転円板部６０４３と、を有している。回転円板部６０４３は、円板形状に形成されており、回転円板部６０４３の上部は、コーナーベース６０５の中央の貫通孔６０５ａから上方へ突出可能である。回転円板部６０４３の上端面には、上方へ突出する下桟係合部６０４４が設けられている。下桟係合部６０４４は、直方体形状に上方へ突出する下部凸部６０４５と、下部凸部６０４５の上面から、更に、直方体形状に上方へ突出する上部凸部６０４６と、を有している。下桟係合部６０４４は、後述のように、障子３を回転させる際に、下桟３２のソケット部３２３に係合する。コアレスモータ６０４１に電力が供給されてコアレスモータ６０４１が駆動することにより、回転円板部６０４３が回転する。また、伸縮アクチュエータ６０４２に電力が供給されて伸縮アクチュエータ６０４２が駆動することより、回転円板部６０４３の軸方向へ回転円板部６０４３が移動する。
【００８５】
縦枠１７は、角柱形状を有しており、躯体９１１に図示しないボルトにより固定されており、上枠１１から下枠１５に至るまで延びている。角柱形状の縦枠１７の内部は、図４に示すように、前室１７１ａと後室１７２ａとに区画されている。前室１７１ａを形成している縦枠１７の部分の右側の部分には、障子２のパッキン２３３が当接している。また、図１８に示すように、後室１７２ａを形成している縦枠１７の部分の右側の部分には、貫通孔１７ａが形成されている。貫通孔１７ａの下側の縦枠１７の部分には、上方に開口する半円形状の切り欠き１７３ａが形成された回転軸係止部材１７３が、ボルト１７３１、ばね座金１７３２、及び被固定部材１７５により固定されている。半円形状の切り欠き１７３ａが貫通孔１７ａの周縁に一致した位置関係で、回転軸係止部材１７３は、縦枠１７に固定されている。
【００８６】
これにより、半円形状の切り欠き１７３ａが形成された回転軸係止部材１７３の部分が、障子２の回転軸部２３４に装着されたサッシュ部材２３５と抜け防止板２３６とにより形成される回転溝に係合して、ガラス２００が框体２０に嵌め込まれる前に、左縦框３３が縦枠１７によって支持される。そして、半円形状の切り欠き１７３ａを塞いで、回転軸（回転軸部２３４、サッシュ部材２３５，及び、抜け防止板２３６）が切り欠き１７３ａから外れない状態を維持する棒状の開口閉鎖部材１７４が、ボルト１７４１及びばね座金１７４２により、回転軸係止部材１７３の開口の部分に固定されている。
【００８７】
支持アーム部９３０の上端部は、左右方向における開口部の上辺の中央に位置する躯体９１１に固定されており、支持アーム部９３０の下端部は、下枠１５の上方の２ｍ程度の高さに位置している。支持アーム部９３０の下端部には図示しない凹部が形成されている。凹部の下側の支持アーム部９３０の部分には、図１９に示すように、上方に開口する半円形状の切り欠き１７３ａが形成された回転軸係止部材１７３が、ボルト１７３１及びばね座金１７３２により固定されている。半円形状の切り欠き１７３ａが凹部の周縁に一致した位置関係で、回転軸係止部材１７３は、支持アーム部９３０に固定されている。これにより、半円形状の切り欠き１７３ａが形成された回転軸係止部材１７３の部分に、障子２の回転軸部の回転溝が係合して、ガラス２００が框体２０に嵌め込まれる前に、左縦框２３が支持アーム部９３０によって支持される。
【００８８】
以下、障子２、障子３を開く動作について説明する。以下の全ての動作は、図示しないスイッチを操作することにより、自動的に行なわれる。
図１に示すように、障子３が第１ガイド部１０１に支持されており、障子２及び障子３が閉まっている状態から、枠体１０の第１ガイド部１０１に設けられている障子移動部材５を駆動させて、障子３を右方向へスライド移動させてゆく。そして、障子３の右端部が建物９の右の角部９０３に至ると、障子３の上桟３１の端部に設けられている２つのガイドローラ３１５１のうちの右側のガイドローラ３１５１は、下側上枠１３１の下室１３１ｂの右端部の開口している部分から、下室１３１ｂの右方の外部へ外れた状態となる。
【００８９】
そして、更に障子３を右方向へスライド移動させてゆき、左右方向における障子３の中央部が建物９のコーナー部１０３に位置したときに、障子移動部材５の駆動を停止させる。このとき、上桟３１の側面が、倒れ止め部材１３３の倒れ止め駆動部１３３２の側面に当接して、中央ガイドローラ３１４１が、第１ガイド部１０１を構成する上側室１３１ｃから第２ガイド部１０２を構成する上側室１３１ｃへ入ってしまうことが防止される。
【００９０】
次に、障子回転装置６の伸縮アクチュエータ６０４２を駆動させて、回転円板部６０４３を上方向へ移動させる。すると、下桟係合部６０４４が、コーナーベース６０５の中央部の貫通孔６０５ａから上方向へ突出し、障子３の下桟３２に固定されているソケット部３２３に係合する。そして、更に、回転円板部６０４３を上方向へ移動させてゆくことにより、回転円板部６０４３によって障子３が上方向へ持上げられ、障子３の戸車３２４が下枠１５のレール１５３から浮き上がった状態となる。このとき、倒れ止め部材１３３の倒れ止め駆動部１３３２が、障子３と共に上昇する。そして、中央ガイドローラ３１４１を回転可能に支持するガイドピン３１４５の上端部が、ガイドピン受け部１６１に係合し、ガイドピン３１４５がガイドピン受け部１６１に対して回転可能にガイドピン受け部１６１に支持される。
【００９１】
次に、障子回転装置６のコアレスモータ６０４１を駆動させて、回転円板部６０４３を回転させる。すると、回転円板部６０４３と共に、障子３が、図３０に示すように、外壁の屋外側において回転する。このとき、上桟３１に設けられている２つのガイドローラ３１５１のうちの左側のガイドローラ３１５１は、Ｔ字状切り欠き１３１ｅを通して下側室１３１ｄの内部から下側室１３１ｄの外部へ出る。また、障子移動部材５の障子係合部５０１が、上桟３１のＴ字形状の切り欠き３１１６を通して、上桟３１に係合している状態から係合が解除された状態となる。即ち、障子３は、中央ガイドローラ３１４１を回転可能に支持しているガイドピン３１４５と回転円板部６０４３とを結ぶ軸心を中心として、障子３は回転する。
【００９２】
そして、障子３が回転されてゆくと、障子３の上桟３１の右端部のガイドローラ３１５１は、建物９の右側の側壁９０２に配置された下側上枠１３１のＴ字状切り欠き１３１ｅを通して、下側室１３１ｄの外部から下側室１３１ｄの内部へ入る。また、建物９の右側の側壁９０２に配置された上枠１１（第２ガイド部１０２）に配置されている障子移動部材５の障子係合部５０１が、上桟３１の右側のＴ字形状の切り欠き３１１６を通して、上桟３１に係合していない状態から係合している状態となる。そして、障子回転装置６のコアレスモータ６０４１の駆動を停止させて、回転円板部６０４３及び障子３の回転を停止させる。
【００９３】
次に、障子回転装置６の伸縮アクチュエータ６０４２を駆動させて、回転円板部６０４３を下方向へ移動させる。すると、ガイドピン受け部１６１へのガイドピン３１４５の上端部の係合が解除され、ガイドピン３１４５がガイドピン受け部１６１の下方に位置する状態となる。そして、更に、回転円板部６０４３を下方向へ移動させる。すると、下桟係合部６０４４が、コーナーベース６０５の中央部の貫通孔から上方向へ突出していない状態となり、障子３の下桟３２に固定されているソケット部３２３への下桟係合部６０４４の係合が解除された状態となる。これにより、戸車３２４は、第２ガイド部１０２を構成する下枠１５のレール１５３に係合し、レール１５３に戸車３２４がガイドされることにより、障子３が第２ガイド部１０２によりガイドされてスライド移動可能な状態となる。次に、建物９の右側の側壁９０２に配置された上枠１１（第２ガイド部１０２）の障子移動部材５を駆動させて、障子３を右方向へスライド移動させてゆき、図３１に示すように、所定の位置に障子３を配置させる。
【００９４】
次に、回転駆動装置４のモータ４０１を駆動させることにより、図３２に示すように、アーム４０４を開いてゆき、上枠固定板４０６（図２５参照）とヒンジ固定板４０７との間の距離を広げてゆく。これにより、障子２の上桟を、障子２の回転軸（回転軸部２３４、サッシュ部材２３５，及び、抜け防止板２３６）を中心として下方向且つ屋内側へ回動させることにより、障子２の回転軸よりも下側に位置する障子２の部分を上方向且つ屋外側へ回動させる。
【００９５】
この際上桟は、ヒンジ４０８（図２参照）の回転軸４０８１を中心としてヒンジ固定板４０７に対して回動し、また、ボールネジ４０３において、ねじ軸４０３１に対してナット部４０３２が、ねじ軸４０３１の軸心を中心として回転するとともに、リニアガイド４０５をガイドする図示しないガイドレールが、ガイドレールの軸心を中心として、上枠固定板４０６に対して回転する。そして、更に、アーム４０４を開いてゆき、障子２の左縦框２３、右縦框２４の長手方向が、見込方向において水平方向と平行の位置関係となったときに、回転駆動装置４のモータ４０１の駆動を停止させる。
【００９６】
以上の工程を経て、障子２、障子３が開かれた状態となる。この状態のときには、開口部の左半分においては、下枠１５から障子２までの高さは２ｍ程度確保されている。また、開口部の右半分においては、障子３が完全に開かれて、開口部に存在しない状態となっている。開口部を閉じる際には、上述の工程の逆の工程を行なう。
【００９７】
以上説明した本実施形態の建具１によれば、以下のような効果を奏する。
本実施形態の、建物９の躯体９１１に固定される枠体１０と、枠体１０間に配置され、建物９の正面に沿って水平に延びる回転軸（回転軸部２３４、サッシュ部材２３５，及び、抜け防止板２３６）を中心として回転可能な障子２と、を備える建具１の当該回転軸は、障子２の縦框（左縦框２３、右縦框２４）の上下方向における中央部よりも上側に偏った位置に配置されている。
【００９８】
これにより、障子２が開いている状態の障子２の下端部から、下枠１５までの距離（開いているときの障子２の高さ）を人の身長よりも長く確保することが可能となり、例えば、本実施形態のように、上下方向の障子２の寸法が大きい場合には、障子２が開いている開口部から、人が容易に出入りできるようにすることが可能となる。
【００９９】
また、本実施形態の、建物９の躯体９１１に固定される枠体１０と、枠体１０間に配置され、建物９の正面に沿って水平に延びる回転軸（回転軸部２３４、サッシュ部材２３５，及び、抜け防止板２３６）を中心として回転可能な障子２と、を備える建具１の枠体１０は、上枠１１及び下枠１５を有する。回転軸は、上枠１１から下枠１５に至るまで延びる柱部材に支持されずに、上枠１１が固定される躯体９１１の部分から下方に向って、下枠１５の上方の所定の位置に至るまで延びる垂下部材としての支持アーム部９３０に支持される。
【０１００】
これにより、障子２が開いている状態のときに、障子２を回転可能に支持する柱部材を不要とするため、開口部を遮るものを無くすることが可能となり、開口部の見た目が良好となり、また、開放的で広い開口部とすることが可能となる。
【０１０１】
また、本実施形態では、障子２は、上框としての上桟２１と下框としての下桟２２と左右の縦框２３、２４とを有し、下桟２２と左右の縦框２３、２４との接続部分には、下框の下方から下框を支持する接続補強部材としての下側接続補強部材２７０が設けられている。
【０１０２】
これにより、下桟２２が単に左右の縦框２３、２４に接続されるのみならず、下桟２２の下方から下桟２２が支持されるため、本実施形態のように障子２の重量が大きい場合であっても、大きな重量に耐えることが可能となる。また、下桟２２と左右の縦框２３、２４との接続部分に下側接続補強部材２７０が設けられているため、障子２のガラス２０００の重量が大きい場合であっても、下桟２２で受け止めた大きい重量のガラス２００を、左右の縦框２３、２４を介して、回転軸（回転軸部２３４、サッシュ部材２３５，及び、抜け防止板２３６）で支持することが可能となる。
【０１０３】
また、本実施形態では、障子２を回転させる回転駆動装置４を備える。障子２は上框としての上桟２１と下框としての下桟２２とを有する。回転駆動装置４は、障子２の上桟２１に接続され、上桟２１を回動可能である。これにより、回転駆動装置４が障子２の上桟２１を下方へ押下げることによって回動させて、障子２を開くことが可能となる。
【０１０４】
また、本実施形態では、回転駆動装置４は、障子２の上框としての上桟２１を下方へ回動させることにより、回転軸（回転軸部２３４、サッシュ部材２３５，及び、抜け防止板２３６）よりも下側に位置する障子２の部分を上方へ回動させて障子２が開いた状態とする。これにより、障子２の開閉を、上桟２１に対して回転駆動装置４が駆動することにより行なうことが可能となる。
【０１０５】
また、本実施形態では、回転駆動装置４は、左右方向における障子２の中央に関して対称的な構造を有するように一対設けられている。これにより、例えば、本実施形態のように、アーム４０４の端部がナット部４０３２及びリニアガイド４０５と固定部４０３３とにそれぞれ固定される場合には、固定部４０３３のみならず、ナット部４０３２及び左右方向に直線的に滑らかにスライド移動可能なリニアガイド４０５にも荷重がかかる。このような構成でも、対称的な構成で一対設けることにより、アーム４０４にかかる荷重のバランスを良好とすることができる。また、一方の回転駆動装置４に不具合が生じた場合であっても、開いている障子２が閉じてしまう事故を防止することが可能となる。
【０１０６】
また、本実施形態の建具１は、枠体１０に配置され、一の方向である左右方向と、一の方向に交差する他の方向とにスライド移動可能な第２の障子３を備える。枠体１０は、第２の障子３を一の方向である左右方向にスライド移動可能に支持しガイドする第１ガイド部１０１と、第２の障子３を、他の方向へスライド移動可能に支持しガイドする第２ガイド部１０２と、第１ガイド部１０１と第２ガイド部１０２とが連結されるコーナー部１０３と、を有する。コーナー部１０３は、コーナー部１０３において第２の障子３の下部を支持した状態で第２の障子３を回転させて、第１ガイド部１０１と第２ガイド部１０２とのうちの一方に支持されている第２の障子３を、第１ガイド部１０１と第２ガイド部１０２とのうちの他方に支持されている状態とする障子回転装置６を備える。
【０１０７】
これにより、開口部の範囲外に障子３を持ち出す構成とすることができる。この結果、左右方向における開口部の端部から、左右方向における建物９の壁部の角部９０３に至るまでの長さが、左右方向における障子３の長さよりも短い場合であっても、障子３を開口部から外れた位置に配置させることができ、開口部に障子３が存在しない全開の状態とすることができる。また、障子３が回転する際に、障子３の回転軸よりも建物９の屋内側（障子３の回転の内側）へ障子３の一部が入り込むことがない。このため、障子３のスライド移動する経路よりも建物９の屋内側に、デッドスペースが発生することを防止することが可能となる。
【０１０８】
また、本実施形態では、枠体１０は、上枠１１及び下枠１５を有し、回転軸は、上枠１１から下枠１５に至るまで延びる柱部材に支持されずに、上枠１１が固定される躯体９１１の部分から下方に向って、下枠１５の上方の所定の位置に至るまで延びる垂下部材としての支持アーム部９３０に支持される。第２の障子３は、一対の縦框としての左縦框３３及び右縦框３４を有する。縦框としての左縦框３３は、障子２及び第２の障子３により開口部を閉じて第２の障子３を障子２に隣接して配置させたときに、支持アーム部９３０を収容可能な収容部としての支持アーム部収容切り欠き３３１ｂを有する。
【０１０９】
これにより、障子２及び障子３で開口を閉じた状態のときに、支持アーム部９３０が支持アーム部収容切り欠き３３１ｂに収容することを可能とする。このため、障子２及び障子３で開口を閉じた状態のときに、屋外側、屋内側のうちの少なくとも一方から見たときに、支持アーム部９３０が左縦框３３に隠された状態とすることができ、意匠性を高めることが可能となる。
【０１１０】
また、本実施形態では、枠体１０は、上枠１１及び下枠１５を有する。回転軸（回転軸部２３４、サッシュ部材２３５，及び、抜け防止板２３６）は、上枠１１から下枠１５に至るまで延びる柱部材に支持されずに、上枠１１が固定される躯体９１１の部分から下方に向って、下枠１５の上方の所定の位置に至るまで延びる支持アーム部９３０に支持される。
支持アーム部９３０は、上方に向けて開口し回転軸を係止可能な切り欠き１７３ａが形成された回転軸係止部材１７３と、回転軸係止部材１７３の切り欠き１７３ａに回転軸が配置された状態で、回転軸係止部材１７３の切り欠き１７３ａの開口を塞いで、回転軸が切り欠き１７３ａから外れない状態を維持する開口閉鎖部材１７４と、を有する。
【０１１１】
これにより、例えば、本実施形態の建具１を施行する際に、作業者の背丈よりも高い位置に障子２の回転軸が配置される場合には、ガラス２００が組み込まれていない障子２の左右の縦框２３、２４の回転軸を、左縦枠１７、支持アーム部９３０に回転可能に支持させてから、ガラス２００を縦框２３、２４の間に挿入する施行方法が考えられる。このような場合に、回転軸を容易に回転軸係止部材１７３の切り欠きに引っ掛けて配置させることが可能となる。特に、障子２の重量が大きい場合には、施行作業を容易として、作業性を高めることができる。
【０１１２】
また、本実施形態では、コーナー部１０３の上部は、第１ガイド部１０１と第２ガイド部１０２とのうちの一方に支持されている状態の障子３が、第１ガイド部１０１と第２ガイド部１０２とのうちの他方の側へ倒れることを防止する倒れ止め部材１３３を備える。
【０１１３】
これにより、倒れ止め駆動部１３３２は、中央ガイドローラ３１４１がコーナー部１０３に位置したときであって、未だ障子回転装置６によって障子３が上方へ持上げられていないときに、障子３が倒れて、中央ガイドローラ３１４１が、第１ガイド部１０１を構成する上側室１３１ｃから第２ガイド部１０２を構成する上側室１３１ｃへ、又は、第２ガイド部１０２を構成する上側室１３１ｃから第１ガイド部１０１を構成する上側室１３１ｃへ、倒れて入ってしまうことを防止することができる。
【０１１４】
また、本実施形態では、障子３には、障子３が一の方向にスライド移動しているときに第１ガイド部１０１にガイドされ、障子３が他の方向へスライド移動しているときに第２ガイド部１０２にガイドされる被ガイド部としてのガイドローラ３１５１が設けられている。第１ガイド部１０１及び第２ガイド部１０２は、障子３が障子回転装置６によって回転させられているときに、ガイドローラ３１５１が第１ガイド部１０１又は第２ガイド部１０２にガイドされている状態となる被ガイド位置と、ガイドローラ３１５１が第１ガイド部１０１又は第２ガイド部１０２にガイドされていない状態となる被ガイド解除位置と、の間でガイドローラ３１５１を移動可能とする被ガイド状態切換え可能部としてのＴ字状切り欠き１３１ｅが形成された下側上枠１３１を備える。
【０１１５】
これにより、障子３が回転する際に、被ガイド部としてのガイドローラ３１５１が、第１ガイド部１０１にガイドされている状態の被ガイド位置から、第１ガイド部１０１にガイドされていない状態となる被ガイド解除位置に、容易に移動することができ、障子３の回転を可能とする。
【０１１６】
本発明は上記実施形態に限定されるものではなく、本発明の目的を達成できる範囲での変形、改良等は本発明に含まれる。
【０１１７】
例えば、上記実施形態では、建具１の障子２は、ガラス２００を有していたが、この構成に限定されない。例えば、ガラス２００に、通電時に光を透過して非通電時に遮光する液晶調光シートを貼付けた構成としてもよい。これにより、障子２を開いた状態のときに、非通電状態とすることで、障子２を、見込方向の屋外側に広い庇として使用することが可能となる。また、障子２を閉じているときには、非通電状態とすることで、カーテンの機能を発揮する。
【０１１８】
また、上記実施形態では、建具１は、障子２と障子３とを有していたが、この構成に限定されない。例えば、建具は、複数の回転可能な障子２が、建物９の正面に沿って隣接して配置される構成を有していてもよい。即ち、上記実施形態では、左縦枠１７と支持アーム部９３０とにより障子２が回転可能に支持されたが、これに限定されず、一対の支持アーム部９３０により１つの障子２が回転可能に支持されてもよい。このような構成とすることで、開口部に、障子２を回転可能に支持するために、上枠１１から下枠１５に至るまで延びる柱部材を設ける必要がなくなり、当該柱部材のない広い開口部を形成することができる。
【０１１９】
また、上記実施形態では、障子２、障子３を開く際には、全ての動作は、図示しないスイッチを操作することにより、自動的に行なわれ、先ず、障子３を開き、その後に、障子２を開いたが、これに限定されない。先に障子２を開き、その後で障子３を開いてもよいし、障子２と障子３とを同時に開いてもよい。また、障子３については、人が出入るできる程度の幅や換気をできる程度の幅だけを手動で開くことができる構成とし、全開するためには、図示しないスイッチを操作することにより、自動で開いて全開できるようにしてもよい。
【０１２０】
また、支持アーム部収容切り欠き３３１ｂは、左方向及び屋内側へ開口する形状を有していたが、この形状に限定されない。例えば、左方向へのみ開口する形状を有していてもよい。このような形状とすることにより、屋内側からも支持アーム部９３０を見えない様に隠すことができ、意匠性を高めることが可能となる。また、例えば、回転する障子２が建物９の正面に沿って複数並べられる構成を建具が有する場合には、隣接する障子２のうちの一方の障子２の右縦框に、支持アーム部９３０の左半部が収容可能な形状の支持アーム部収容切り欠きが形成され、他方の障子２の左縦框２３に、支持アーム部９３０の右左半部が収容可能な形状の支持アーム部収容切り欠きが形成されていてもよい。
【０１２１】
また、建具の各部の構成、形状、寸法、数等は、本実施形態の構成における各部の構成、形状、寸法、数等に限定されない。例えば、障子２、障子３は、左右方向における長さが３ｍ、上下方向における長さが２．７ｍ、重量が３００ｋｇの寸法で形成されていたが、この数値に限定されない。例えば、建具は、障子２、障子３よりも極めて小さい障子を有していてもよい。
【０１２２】
また、例えば、中央ガイドローラ３１４１は、左右方向における上桟３１の中央部に配置され、コーナー部１０３に中央ガイドローラ３１４１が位置したときに、障子３は回転させられたが、この構成に限定されない。例えば、中央ガイドローラ３１４１は、左右方向における上桟３１の正確な中央の位置に配置されなくてもよく、中央部分に配置されていればよい。
【０１２３】
また、例えば、障子３は戸車３２４を有していたが、この構成に限定されない。例えば、戸車を有しておらず、中央ガイドローラ３１４１、及び、ガイドローラ３１５１によって吊られた状態でスライド移動可能に構成されていてもよい。この場合であっても、コーナー部１０３においては、障子は、障子回転装置６によって、障子の下方から上方向へ障子の下部が持上げられて、回転させられる。
【０１２４】
また、例えば、上枠１１、下枠１５は、建物９の外壁に沿って建物９の角部９０３で直角に折れ曲がっていたが、この構成に限定されない。例えば、上枠、下枠は、建物９の角部９０３で折れ曲がらずに、建物９の正面に沿って、建物の角部９０３から更に延びていてもよい。
【０１２５】
また、例えば、障子３は、コーナー部１０３において９０°回転させられたが、この角度に限定されない。また、障子３は、開口部を開いているときには、建物の側壁９０２に沿った状態で収容されたが、この構成に限定されない。例えば、側壁を９０２に沿ってスライド移動して側壁９０２を通過し、建物の正面の壁部９０１に対向する裏面の壁部に沿った位置で収容されてもよい。
【０１２６】
また、例えば、垂下部材、接続補強部材、収容部、回転軸係止部材、開口閉鎖部材、倒れ止め部材、被ガイド部、被ガイド状態切換え可能部は、本実施形態における支持アーム部９３０、下側接続補強部材２７０、支持アーム部収容切り欠き３３１ｂ、回転軸係止部材１７３、開口閉鎖部材１７４、倒れ止め部材１３３、ガイドローラ３１５１、Ｔ字状切り欠き１３１ｅに限定されない。
【符号の説明】
【０１２７】
１…建具
２…障子
３…障子（第２の障子）
４…回転駆動装置
６…障子回転装置
９…建物
１０…枠体
１１…上枠
１２…下枠
２１…上桟（上框）
２２…下桟（下框）
２３…左縦框
２４…右縦框
１０１…第１ガイド部
１０２…第２ガイド部
１０３…コーナー部
１３３…倒れ止め部材
１７３…回転軸係止部材
１７４…開口閉鎖部材
２３４…回転軸部（回転軸）
２３５…サッシュ部材（回転軸）
２３６…抜け防止板（回転軸）
２７０…下側接続補強部材（接続補強部材）
３３１ｂ…支持アーム部収容切り欠き（収容部）
９３０…支持アーム部（垂下部材）
３１５１…ガイドローラ（被ガイド部）
１３１ｅ…Ｔ字状切り欠き（被ガイド状態切換え可能部）
【図１】
2018013000.tif 000003
【図２】
2018013000.tif 000004
【図３】
2018013000.tif 000005
【図４】
2018013000.tif 000006
【図５】
2018013000.tif 000007
【図６】
2018013000.tif 000008
【図７】
2018013000.tif 000009
【図８】
2018013000.tif 000010
【図９】
2018013000.tif 000011
【図１０】
2018013000.tif 000012
【図１１】
2018013000.tif 000013
【図１２】
2018013000.tif 000014
【図１３】
2018013000.tif 000015
【図１４】
2018013000.tif 000016
【図１５】
2018013000.tif 000017
【図１６】
2018013000.tif 000018
【図１７】
2018013000.tif 000019
【図１８】
2018013000.tif 000020
【図１９】
2018013000.tif 000021
【図２０】
2018013000.tif 000022
【図２１】
2018013000.tif 000023
【図２２】
2018013000.tif 000024
【図２３】
2018013000.tif 000025
【図２４】
2018013000.tif 000026
【図２５】
2018013000.tif 000027
【図２６】
2018013000.tif 000028
【図２７】
2018013000.tif 000029
【図２８】
2018013000.tif 000030
【図２９】
2018013000.tif 000031
【図３０】
2018013000.tif 000032
【図３１】
2018013000.tif 000033
【図３２】
2018013000.tif 000034
【図３３】
2018013000.tif 000035